(57)【要約】【課題】シンプルかつ小型化が可能な構成により、簡単でわかりやすい操作による長さ調節を可能とする。【解決手段】上バンド１５および下バンド１６が連結されてなるバンド部１４の中留２において、下バンド１６に支持部材２０を連結し、上バンド１５に第１コマ５０を連結し、支持部材２０には、第１コマ５０と係合する凸部４６、取付部３２をバンド部１４の長手方向に並べて設け、第１コマ５０を支持部材２０に対して傾けた場合にのみ、第１コマ５０を、凸部４６から取付部３２に移動可能となる構成とした。【選択図】図５
2007313050.tif 000002
【特許請求の範囲】
【請求項１】
一対の帯状体を連結する中留において、
一方の前記帯状体に連結された支持部材と、他方の前記帯状体に連結された移動部材とを備え、
前記支持部材には、前記移動部材と係合する複数の係合部が前記帯状体の長手方向に並べて設けられ、
前記移動部材を前記支持部材に対して傾けた場合にのみ、前記移動部材を、一の前記係合部から他の前記係合部に移動させることが可能となること、
を特徴とする中留。
【請求項２】
前記移動部材の先端部には、前記移動部材を前記支持部材に対して傾けた際に前記帯状体の長手方向におけるサイズが縮小する形状を有する引掛部が設けられ、
少なくとも一つの前記係合部は、前記引掛部が収容される空間に突出するとともに、その先端側に、サイズが縮小された状態でのみ前記引掛部が通過可能な通路を形成する突起として構成されたこと、
を特徴とする請求項１記載の中留。
【請求項３】
前記移動部材の先端部に、前記支持部材の前記係合部に係合する引掛部が設けられ、
少なくとも一つの前記係合部は、前記引掛部が収容される空間に突出するとともに、その先端側に前記引掛部が通過可能なサイズの通路を形成する突起として構成され、
前記移動部材を前記支持部材に対して傾けた場合にのみ、前記引掛部が前記通路側に移動して前記通路を通過可能となること、
を特徴とする請求項１記載の中留。
【請求項４】
前記支持部材と前記移動部材とを略平行な状態に保持する保持部と、前記保持部の保持状態を解除させる解除操作子とを設けたこと、
を特徴とする請求項１から３のいずれかに記載の中留。
【請求項５】
前記保持部は複数の板状部材を折り重ね可能に連結した構成を有し、折り重ね状態において前記支持部材と前記移動部材とを略平行な状態に保持するものであって、
一方の前記帯状体と前記支持部材とが、前記保持部を構成する複数の板状部材を介して連結されたこと、
を特徴とする請求項４記載の中留。
【請求項６】
一対の帯状体を連結する中留を備えた帯状装身具において、
前記中留は、一方の前記帯状体に連結された支持部材と、他方の前記帯状体に連結された移動部材とを備え、
前記支持部材には、前記移動部材と係合する複数の係合部が前記帯状体の長手方向に並べて設けられ、
前記移動部材を前記支持部材に対して傾けた場合にのみ、前記移動部材を、一の前記係合部から他の前記係合部に移動させることが可能となること、
を特徴とする帯状装身具。
【請求項７】
時計ケースに連結された一対のバンドと、これら一対のバンドを連結する中留とを備え、
前記中留は、一方の前記帯状体に連結された支持部材と、他方の前記帯状体に連結された移動部材とを備え、
前記支持部材には、前記移動部材と係合する複数の係合部が前記帯状体の長手方向に並べて設けられ、
前記移動部材を前記支持部材に対して傾けた場合にのみ、前記移動部材を、一の前記係合部から他の前記係合部に移動させることが可能となること、
を特徴とする時計。
【発明の詳細な説明】
【技術分野】
【０００１】
本発明は、中留、この中留を有する帯状装身具及び時計に関する。
【背景技術】
【０００２】
腕時計のバンド等の帯状装身具には、様々な中留が用いられている。例えば腕時計においては、二つ折れ中留、三つ折れ中留、あるいは両開き（観音開き）中留のような折り畳み型の中留が使用される。このような折り畳み型中留には、中留カバーにバンドに連結された移動部材を移動自在に支持し、この移動部材内に中留の施錠／解錠用のプッシュボタンを係止した構成として、このプッシュボタンの操作によって中留の解錠と、バンド長さの微調整とを可能にしたものが提案されている（例えば、特許文献１）。
【特許文献１】特開２００５−２７０７４８号公報
【発明の開示】
【発明が解決しようとする課題】
【０００３】
しかし、従来のものは、プッシュボタンの操作時に、中留の解錠と長さ調節との２種類の操作の操作位置が区別しにくいという問題があった。この問題を解決するための手法としては、中留の解錠操作と長さ調節操作とに対応する操作部を個別に設けることが考えられるが、このような構成を、機構の大型化を伴わずに実現することは極めて困難であった。
本発明は、上述した事情に鑑みてなされたものであり、シンプルかつ小型化が可能な構成により、簡単でわかりやすい操作によって長さ調節が可能な中留、この中留を有する帯状装身具及び時計を提供することを目的としている。
【課題を解決するための手段】
【０００４】
上記課題を解決するため、本発明は、一対の帯状体を連結する中留において、一方の前記帯状体に連結された支持部材と、他方の前記帯状体に連結された移動部材とを備え、前記支持部材には、前記移動部材と係合する複数の係合部が前記帯状体の長手方向に並べて設けられ、前記移動部材を前記支持部材に対して傾けた場合にのみ、前記移動部材を、一の前記係合部から他の前記係合部に移動させることが可能となること、を特徴とする。
本発明によれば、中留の移動部材を支持部材に対して傾けた場合にのみ、移動部材が係合する係合部を別の係合部に変えることで、中留により連結される一対の帯状体の間隔を変えることができる。これにより、簡単でわかりやすい操作による長さ調節を実現できる。また、中留の構造が支持部材と移動部材とを用いた非常にシンプルな構成であるため、容易に小型化が可能である。
【０００５】
上記構成において、前記移動部材の先端部には、前記移動部材を前記支持部材に対して傾けた際に前記帯状体の長手方向におけるサイズが縮小する形状を有する引掛部が設けられ、少なくとも一つの前記係合部は、前記引掛部が収容される空間に突出するとともに、その先端側に、サイズが縮小された状態でのみ前記引掛部が通過可能な通路を形成する突起として構成してもよい。
この構成によれば、移動部材を傾けた場合に、帯状体の長手方向における引掛部のサイズが小さくなり、支持部材の係合部の先端側を通過できるようになる。これにより、移動部材を傾けた場合にのみ移動部材が係合する係合部を変えることが可能な構成を、非常にシンプルで小型化が可能な構造により実現できる。
【０００６】
また、上記構成において、前記移動部材の先端部に、前記支持部材の前記係合部に係合する引掛部が設けられ、少なくとも一つの前記係合部は、前記引掛部が収容される空間に突出するとともに、その先端側に前記引掛部が通過可能なサイズの通路を形成する突起として構成され、前記移動部材を前記支持部材に対して傾けた場合にのみ、前記引掛部が前記通路側に移動して前記通路を通過可能となるものとしてもよい。
この構成によれば、移動部材を傾けた場合に引掛部が移動して、支持部材の係合部の先端側を通過できるようになる。これにより、移動部材を傾けた場合にのみ移動部材が係合する係合部を変えることが可能な構成を、非常にシンプルで小型化が可能な構造により実現できる。
【０００７】
上記構成において、前記支持部材と前記移動部材とを略平行な状態に保持する保持部と、前記保持部の保持状態を解除させる解除操作子とを設けてもよい。
この構成によれば、保持部によって支持部材と移動部材とが略平行に保持されている間は移動部材を傾けることができず、長さ調節が制限され、解除操作子の操作により保持状態を解除することで長さ調節が可能となる。これにより、装着者の意図に反して長さが変わってしまうことがなく、装着者が望む場合には簡単な操作により長さ調節を行えるので、利便性を損なうことなく誤操作を確実に防止できる。
【０００８】
また、上記構成において、前記保持部は複数の板状部材を折り重ね可能に連結した構成を有し、折り重ね状態において前記支持部材と前記移動部材とを略平行な状態に保持するものであって、一方の前記帯状体と前記支持部材とが、前記保持部を構成する複数の板状部材を介して連結された構成としてもよい。
この構成によれば、保持部が折り重ねて収容可能な複数の板状部材により構成され、この板状部材を介して、一方の帯状体が支持部材に連結された構成となっているため、保持部を小さなスペースに収容することが可能であり、中留の小型化が容易になる。
【０００９】
また、本発明は、一対の帯状体を連結する中留を備えた帯状装身具において、前記中留は、一方の前記帯状体に連結された支持部材と、他方の前記帯状体に連結された移動部材とを備え、前記支持部材には、前記移動部材と係合する複数の係合部が前記帯状体の長手方向に並べて設けられ、前記移動部材を前記支持部材に対して傾けた場合にのみ、前記移動部材を、一の前記係合部から他の前記係合部に移動させることが可能となること、を特徴とする。
本発明によれば、中留の移動部材を支持部材に対して傾けた場合にのみ、移動部材が係合する係合部を別の係合部に変えることで、中留により連結される一対の帯状体の間隔を変えることができる。これにより、簡単でわかりやすい操作によって長さ調節が可能な帯状装身具を実現できる。また、中留が支持部材と移動部材とを用いた非常にシンプルな構造により構成されるため、容易に小型化が可能であり、帯状装身具の装飾性を高めることが可能となる。
【００１０】
さらに、本発明は、時計ケースに連結された一対のバンドと、これら一対のバンドを連結する中留とを備え、前記中留は、一方の前記帯状体に連結された支持部材と、他方の前記帯状体に連結された移動部材とを備え、前記支持部材には、前記移動部材と係合する複数の係合部が前記帯状体の長手方向に並べて設けられ、前記移動部材を前記支持部材に対して傾けた場合にのみ、前記移動部材を、一の前記係合部から他の前記係合部に移動させることが可能となること、を特徴とする。
本発明によれば、中留の移動部材を支持部材に対して傾けた場合にのみ、移動部材が係合する係合部を別の係合部に変えることで、一対のバンドの間隔を変えることができる。これにより、簡単でわかりやすい操作によってバンドの長さ調節が可能な時計を実現できる。また、中留の構造が支持部材と移動部材とを用いた非常にシンプルな構成であるため、容易に小型化が可能であり、時計の装飾性を高めることが可能となる。
【発明の効果】
【００１１】
本発明は、一対の帯状体を連結する中留において、一方の帯状体に連結された支持部材と、他方の帯状体に連結された移動部材とを備え、支持部材には、移動部材と係合する複数の係合部が帯状体の長手方向に並べて設けられ、移動部材を支持部材に対して傾けた場合にのみ、移動部材を、一の係合部から他の係合部に移動させることが可能となる構成としたので、移動部材を支持部材に対して傾けた場合にのみ、移動部材が係合する係合部を別の係合部に変えることで、中留により連結される一対の帯状体の間隔を変えることができ、簡単でわかりやすい操作による長さ調節を実現するとともに、中留を非常にシンプルな構成としたことで、容易に小型化が可能である。
【発明を実施するための最良の形態】
【００１２】
以下、図面を参照して本発明の実施の形態について説明する。
図１は、本発明を適用した時計の実施形態として、腕時計１の構成を示す外観斜視図である。
この腕時計１は、ムーブメント（図示略）、文字板１２、及び時刻表示針１３を水密構造に収容する時計ケース１１を備える。時計ケース１１には、腕時計１を装着部位（装着者の手首）に固定する帯状装身具としてのバンド部１４が、その上下端部（いわゆる、かん部）に連結されている。バンド部１４は、時計ケース１１に連結された帯状体としての上バンド１５及び下バンド１６を、中留２を介して連結したものである。
上バンド１５は、文字板１２の１２時位置において時計ケース１１に連結され、下バンド１６は、文字板１２の６時位置において時計ケース１１に連結される。これら上バンド１５及び下バンド１６は、ステンレス、チタン等の金属材料で形成された多数のコマを、円滑に回動可能なように連結して構成される。
【００１３】
図２は、中留２を拡げた状態を示す要部斜視図である。
中留２は、いわゆる三折れ方式（三折れプッシュ方式ともいう。）の中留である。中留２は、上バンド１５の端部に連結された蓋部２１と、下バンド１６の端部に連結された下板２２と、蓋部２１と下板２２とを折り畳み可能に連結する中板２３とを備える。蓋部２１と中板２３との連結部、及び、下板２２と中板２３との連結部は、いずれもピン（図示略）により回動自在に連結され、同様に、上バンド１５と蓋部２１、及び、下バンド１６と下板２２についても、ピン（図示略）により回動自在に連結されている。この中留２は、蓋部２１の下に中板２３と下板２２とを重ねて折り畳むことが可能である。これら蓋部２１、下板２２、及び中板２３は折り重ね可能な板状部材として、下板２２の錠止ピン２４及び後述するボタンユニット２６とともに保持部を構成する。
また、下板２２には、中留２を折り畳んだ状態で保持するための錠止ピン２４が設けられる。この錠止ピン２４は、中留２を折り畳む際に、蓋部２１に配設されたボタンユニット２６（図３）に係合して保持され、この保持力によって中留２が折り畳まれた状態が保たれる。この状態で、解除操作子としてのプッシュボタン２７が押圧操作されると、ボタンユニット２６による錠止ピン２４の保持状態が解除され、中留２が展開される。
【００１４】
図３〜図５は、蓋部２１の構成を詳細に示す図であり、図３は底面側の斜視図、図４は底面図、図５は断面図である。なお、以下の説明においては、図５の断面図における上下に対応させて、上、下との表現を用いる。
蓋部２１は、略長方形の平板の両端に側壁２１Ａ、２１Ｂが立ち上がった形状を有し、これら側壁２１Ａ、２１Ｂにはばね棒挿入穴２５Ａ〜Ｆ及びボタン穴２５Ｇ、２５Ｈが穿設されている。そして、側壁２１Ａ、２１Ｂの間に、中板２３の端部と、ボタンユニット２６と、支持部材２０と、上バンド１５の第１コマ５０の一部とが収容される。
【００１５】
蓋部２１の一方の端部には、ばね棒挿入穴２５Ａ、２５Ｂに跨るばね棒３６によって、中板２３が回動自在に取り付けられる。
また、蓋部２１の略中央部には、ボタンユニット２６が配設される。ボタンユニット２６は、側壁２１Ａ、２１Ｂのボタン穴２５Ｇ、２５Ｈから各々突出する一対のプッシュボタン２７を介して蓋部２１に係止されている。このボタンユニット２６の中央には錠止穴２６Ａが開口し、この錠止穴２６Ａには、一対のプッシュボタン２７に連結された一対の係止爪が露出する。これら一対の係止爪は互いに接近する方向に付勢され、この付勢力に抗してプッシュボタン２７を押圧する操作によって一対の係止爪が互いに離隔する。
錠止穴２６Ａには、中留２が折り畳まれる際に、下板２２に立設された錠止ピン２４が挿入される。錠止穴２６Ａに挿入された錠止ピン２４は、一対の上記係止爪によって挟まれて、これら係止爪に係合し、中留２の折り畳み状態が保持される。
ここでプッシュボタン２７が押圧操作されると、錠止ピン２４を挟む係止爪が互いに離隔して錠止ピン２４から離れ、錠止ピン２４の保持が解かれる。これにより、錠止ピン２４を錠止穴２６Ａから引き抜くことが可能となり、中留２が展開される。
【００１６】
また、蓋部２１には、ボタンユニット２６の両側に跨るように、ばね棒挿入穴２５Ｃ、２５Ｄに嵌合するばね棒３７を介して支持部材２０の上板３０が取り付けられ、この上板３０に重なるように、ばね棒挿入穴２５Ｅ、２５Ｆに嵌合するばね棒３８を介して支持部材２０の下板４０が取り付けられる。これら上板３０と下板４０は、上バンド１５側の端部において連結ピン３９により相互に連結され、この連結部において上バンド１５の第１コマ５０と連結される。
【００１７】
図６は、支持部材２０の構成を詳細に示す分解斜視図である。
図６に示すように、上板３０は、略平板状の平板部３３と、平板部３３の一端に形成された蓋連結部３１と、平板部３３の他端に形成された取付部３２とを有する。蓋連結部３１は蓋部２１の幅方向に延びる棒状の凸部である。蓋連結部３１には、その長手方向に延びるばね棒挿入穴３１Ａが形成され、このばね棒挿入穴３１Ａを上述したばね棒３７が貫通する。取付部３２には、蓋部２１の幅方向に延びるピン挿入穴３２Ａが形成され、このピン挿入穴３２Ａを上述した連結ピン３９が貫通する。
下板４０は、平板状部材の一端に蓋連結部４１を設け、他端に取付部４２、４３を設けた構成を有する。蓋連結部４１は蓋部２１の幅方向に延びる棒状の凸部である。この蓋連結部４１には、その長手方向に延びるばね棒挿入穴４１Ａが形成され、このばね棒挿入穴４１Ａを、上述したばね棒３８が貫通する。取付部４２、４３は、蓋部２１の幅方向に沿って並ぶ２個の突起であり、上板３０の取付部３２を挟み込むことが可能である。取付部４２、４３には、上板３０と下板４０とを重ねた場合にピン挿入穴３２Ａに連通するピン挿入穴４２Ａ、４３Ａが形成され、上述した連結ピン３９が、ピン挿入穴３２Ａとともにピン挿入穴４２Ａ、４３Ａを貫通する構成となっている。
ここで、図５に示すように、蓋連結部３１と蓋連結部４１とは、ボタンユニット２６の幅に相当する距離だけ離れている。従って、上板３０と下板４０とを一体に連結して支持部材２０とし、蓋部２１に取り付けた状態では、支持部材２０が、ばね棒３７、３８によって、蓋部２１に対して回転が規制されるよう支持される。
【００１８】
そして、図６に示すように、下板４０には、上板３０の平板部３３に対向する面に、凸部４６と、凸部４６の両側に位置する凹部４４、４５とが形成されている。凸部４６は、蓋部２１の幅方向に延びる突起である。また、凹部４４、４５は凸部４６と平行に延びる溝状部である。
ここで、凸部４６の高さは蓋連結部４１および取付部４２、４３の上端よりも低いので、下板４０を上板３０に重ねると、凸部４６の先端と平板部３３の下面との間には空間が形成される。この空間を、乗り上げ部２０Ｃとする。これに対して、下板４０の凹部４４と平板部３３の下面との間に形成される空間を収容部２０Ａとし、凹部４５と平板部３３の下面との間に形成される空間を収容部２０Ｂとする。
収容部２０Ａ、２０Ｂは、図５に示すように、蓋部２１の長手方向、すなわちバンド部１４の長手方向に沿って平行に並び、これら収容部２０Ａ、２０Ｂが、通路としての乗り上げ部２０Ｃを介して連通した構成となる。これら収容部２０Ａ、２０Ｂには、第１コマ５０の桟５２が収容される。
【００１９】
図７は、第１コマ５０の構成を示す外観斜視図であり、図８は断面図である。
図７及び図８に示すように、移動部材としての第１コマ５０は、基端側、すなわち上バンド１５側の端部にコマ連結部５３を有し、このコマ連結部５３を貫通するピン挿入穴５３Ａに挿通されるピン（図示略）を介して、上バンド１５のコマに連結される。
また、第１コマ５０の先端側は、バンド部１４の長手方向に沿って延びる凹欠部５１が形成され、この凹欠部５１を跨ぐように引掛部としての桟５２が配設されている。
【００２０】
桟５２は、第１コマ５０の厚み方向に長い長方形の断面を有し、図５に示すように、支持部材２０の収容部２０Ａ、２０Ｂに収容可能なサイズとなっている。桟５２は、後述する操作によって収容部２０Ａと収容部２０Ｂの間を行き来するように移動させることが可能である。
【００２１】
図９及び図１０は、蓋部２１の構成を示す断面図である。以下、これら図９及び図１０と図５とを合わせて参照し、バンド部１４の長さを調節する手順について説明する。
図５に示すように、第１コマ５０の桟５２が収容部２０Ｂに収容されている状態では、桟５２が取付部３２と凸部４６との間に挟まれ、その移動が規制される。
この状態で、第１コマ５０を、桟５２を略中心として図５中符号Ａで示す方向に回動させ、図９に示すように第１コマ５０を支持部材２０に対してほぼ直角とする。この状態では、バンド部１４の長手方向における桟５２のサイズが乗り上げ部２０Ｃよりも小さくなる。すなわち、桟５２の高さが乗り上げ部２０Ｃの高さより小さくなるため、桟５２が乗り上げ部２０Ｃを通過可能となり、第１コマ５０を図９中に符号Ｂで示す方向に平行移動させることができる。
そして、第１コマ５０を平行移動させた後、第１コマ５０を、桟５２を略中心として図９中に符号Ｃで示す方向に回動させ、図１０に示すように蓋部２１に対して略平行とする。この状態では、収容部２０Ａに収容された桟５２は、蓋連結部４１と凸部４６との間に挟まれて移動が規制される。
【００２２】
上述したように、収容部２０Ａと収容部２０Ｂは、バンド部１４の長手方向に沿って平行に並び、収容部２０Ａに突出する凸部４６と、収容部２０Ｂの一面を構成する取付部３２とが、係合部として桟５２の移動を規制する。このため、収容部２０Ａと収容部２０Ｂとの間で桟５２を移動させることにより、中板２３と第１コマ５０との間の距離を変化させることができる。すなわち、バンド部１４の長さを調節できる。
この長さ調節は、第１コマ５０を支持部材２０に対してほぼ直角まで傾けた場合にのみ可能となる。中留２が折り畳まれた状態では、蓋部２１の下方に中板２３および下板２２が重なっており、第１コマ５０を回動させることができない。このため、バンド部１４の長さを調節するためには、プッシュボタン２７を操作して中留２を展開する必要がある。従って、腕時計１の装着時にバンド部１４の長さが変化することはなく、装着者がバンド部１４の調節を意図して操作を行った場合には、容易に長さを調節できる。このように、上記構成によって、簡単な操作と誤操作の解消をともに達成することが可能となる。
【００２３】
ところで、上記構成を実現するためには、収容部２０Ａ、２０Ｂ及び乗り上げ部２０Ｃのサイズと、桟５２のサイズとが所定の大小関係を満たすことが望ましい。説明の便宜を図るため、図５に示すように、凸部４６の上端面から蓋部２１の下面までの高さをＨ１、凸部４６の上端面から平板部３３の下面までの高さをＨ２、凹部４４、４５の底面から平板部３３の下面までの高さをＨ３とし、さらに、凹部４４、４５の長さをＷ１、Ｗ２とし、図８に示すように第１コマ５０の先端から桟５２の基端までの距離をＤ１、桟５２の奥行き、すなわち断面の短辺をＤ２、桟５２の高さすなわち断面の長辺をＤ３として、以下に説明する。
【００２４】
図９に示すように第１コマ５０を支持部材２０に対してほぼ直角まで傾けるためには、収容部２０Ａ、２０Ｂと蓋部２１の下面との間に第１コマ５０の先端が回転するだけの空間が必要である。従って、Ｄ１＜Ｈ１であることが望ましい。また、収容部２０Ａ、２０Ｂにおいて桟５２を回転させるため、Ｄ３＜Ｈ３であることが望ましい。
また、図９に示す状態で桟５２が乗り上げ部２０Ｃを通過するためには、Ｄ２＜Ｈ１であることが望ましい。さらに、図５及び図１０に示す状態で、桟５２の移動を規制するため、Ｈ２＜Ｄ３であることが望ましい。
【００２５】
以上の条件をまとめると、下記式（１）〜（３）の関係が全て成り立つことが望ましいと言える。
Ｄ１＜Ｈ１      ・・・（１）
Ｄ２＜Ｈ２      ・・・（２）
Ｈ２＜Ｄ３＜Ｈ３      ・・・（３）
【００２６】
また、収容部２０Ａ、２０Ｂにおいて桟５２を容易に回動させることができるように、収容部２０Ａの幅Ｗ１と収容部２０Ｂの幅Ｗ２とは十分なサイズとすることが好ましく、下記式（４）、（５）の関係を満たすことがより好ましい。
Ｄ３＜Ｗ１      ・・・（４）
Ｄ３＜Ｗ２      ・・・（５）
【００２７】
以上説明したように、本発明を適用した実施の形態では、中留２を構成する蓋部２１に、支持部材２０を、回転が規制されるように配設し、この支持部材２０においてバンド部１４の長手方向に並んで形成される収容部２０Ａ、２０Ｂに、上バンド１５の第１コマ５０が有する桟５２が係合する構成として、第１コマ５０を支持部材２０に対して所定角度（ここでは、略直角）に傾けた場合にのみ、桟５２が収容部２０Ａ、２０Ｂ間を移動可能な構成としている。これにより、第１コマ５０を回動させて平行移動させるという簡単な操作により、バンド部１４の長さ調節が可能となる。
また、第１コマ５０を回動させるためには中留２を展開する必要があることから、腕時計１の装着時にバンド部１４の長さが変化することはない。このため、装着者の意図に反してバンド部１４の長さが変化することはなく、誤操作が確実に防止される。そして、中留２は、プッシュボタン２７を押圧する操作によって容易に展開させることが可能なため、装着者が望む場合には、簡単にバンド部１４の長さ調節を行える。さらに、バンド部１４の長さを調節する操作が中留２を展開する操作とは明らかに異なる操作であるため、装着者にとって非常にわかりやすいという利点がある。
また、中留２は、支持部材２０および第１コマ５０からなるシンプルな構成によって簡単でわかりやすい長さ調節を実現しており、容易に小型化が可能である。加えて、中留２を折り畳むことで第１コマ５０の回動が阻止されるので、装着者の意図に反してバンド部１４の長さが変わることがない。従って、機構の大型化を招くことなく、誤操作を防止できるという利点もある。このように、中留２を容易に小型化が可能な構成とすることで、バンド部１４の装飾性を高めることができる。
【００２８】
なお、上記実施の形態においては、別体として形成された上板３０と下板４０とを連結して支持部材２０を構成した例について説明したが、本発明はこれに限定されるものではなく、例えば一つの部材を用いることも可能である。
すなわち、支持部材２０に代えて、図１１に示すように全体が一つの部材として構成された連結部材６０を用いることも可能である。この図１１に示す連結部材６０は、略平板状の平板部６１の一端に、ばね棒３７を貫通させるためのばね棒挿入穴６２Ａを有する第１蓋連結部６２を形成するとともに、他端にはばね棒３８を貫通させるためのばね棒挿入穴６３Ａを有する第２蓋連結部６３を形成し、第１蓋連結部６２と第２蓋連結部６３とが重ならないよう屈曲部６４で折り曲げたものである。この連結部材６０は、上述した下板４０と同様に、蓋部２１の幅方向に延びる凸部６７と、凸部６７の両側に位置する凹部６５、６６が形成され、これら凹部６５、６６および凸部６７によって、桟５２を収容する収容部６０Ａ、６０Ｂと、収容部６０Ａ、６０Ｂを連通させる通路としての乗り上げ部６０Ｃとが形成される。この連結部材６０を、支持部材２０に代えて蓋部２１に取り付けることにより、第１コマ５０を連結部材６０に対して略直角まで傾けた場合にのみ、桟５２が乗り上げ部２０Ｃを通過可能な構成が実現され、上述した実施の形態と同様の効果を得ることができる。この場合において、屈曲部６４及び凸部６７は、桟５２の移動を規制する係合部として機能する。
【００２９】
また、上記実施の形態では、第１コマ５０の桟５２を断面長方形の棒状とした例を挙げて説明したが、本発明はこれに限定されず、例えば、図１２に示すように、丸棒状としてもよい。
この図１２に示す第１コマ７０は、第１コマ５０に代えて上バンド１５の先端に連結されて移動部材として機能する。第１コマ７０には、上バンド１５側のコマ連結部７３にピン（図示略）を貫通させるピン挿入穴７３Ａが形成される。また、第１コマ７０の先端側は、バンド部１４の長手方向に沿って延びる凹欠部７１が形成され、この凹欠部７１を跨ぐように丸棒形状の引掛部としての丸棒７２が配設されている。
【００３０】
丸棒７２は、第１コマ７０の厚み方向において偏った位置に配設される。これは、上述した第１コマ５０に代えて第１コマ７０を配設した場合に、第１コマ７０を所定角度傾けた状態でのみ、第１コマ７０を平行移動可能なようにするためである。
すなわち、図１３に示すように、支持部材２０に第１コマ７０を連結し、収容部２０Ｂに丸棒７２が収容された状態で、丸棒７２は図中下方に偏った位置にある。このため、丸棒７２は、凸部４６と取付部３２によって移動が規制される。そして、第１コマ７０を回動させて支持部材２０に対して略直角に傾けた場合には、丸棒７２が中留２の厚み方向に動いて、乗り上げ部２０Ｃ側に寄るので、丸棒７２が乗り上げ部２０Ｃを通過して、収容部２０Ａと収容部２０Ｂとの間を移動可能となる。
【００３１】
ここで、第１コマ７０は、第１コマ７０を支持部材２０に対して略直角まで回動可能で、かつ、第１コマ７０を傾けた場合に丸棒７２が乗り上げ部２０Ｃを通過可能となるために、図１２に示すように第１コマ７０の先端から丸棒７２の後端までの距離をＤ４、丸棒７２の径をＤ５、第１コマ７０の上面から丸棒７２の下端までの距離をＤ６とすれば、下記式（６）〜（８）に示す関係を満たすことが望ましい。（下記式において、Ｈ１、Ｈ２、Ｈ３は図５中に示す符号である。）
Ｄ４＜Ｈ１      ・・・（６）
Ｄ５＜Ｈ２      ・・・（７）
Ｄ６＞Ｈ１      ・・・（８）
このように、断面長方形の桟５２を有する第１コマ５０に代えて、丸棒７２を有する第１コマ７０を用いても、上記実施の形態と同様の効果を得ることができる。
【００３２】
さらに、上記実施の形態では、支持部材２０において一つの凸部４６を設けることにより、２つの収容部２０Ａ、２０Ｂを乗り上げ部２０Ｃにより連通させた構成について説明したが、本発明はこれに限定されるものではなく、例えば、バンド部１４の長手方向に複数の凸部と、この凸部の両側に位置する凹部とを設け、より多数の収容部と乗り上げ部とが交互に並ぶ構成としてもよい。この場合、より多段階でバンド部１４の長さを変えることができる。
【００３３】
また、上記実施の形態において、上バンド１５及び下バンド１６は、金属材料で形成された駒を多数連結して構成されるものに限定されず、例えば、皮バンド、ウレタン・ゴム等のラバー系バンドであってもよく、その他の細部構成についても適宜変更可能である。
さらに、本発明は、上記実施の形態で説明した三折れ方式の中留に限らず、二つ折れ方式の中留、両開き中留等にも広く適用可能である。また、上記においては腕時計のバンドに本発明を適用した例について説明したが、ブレスレット、ネックレス、衣服用のベルト、バッグ等の携帯品のベルト等、各種の帯状装身具に広く適用可能である。
【図面の簡単な説明】
【００３４】
【図１】実施の形態に係る腕時計の概略構成を示す斜視図である。
【図２】中留を拡げた状態を示す要部斜視図である。
【図３】中留の構成を示す斜視図である。
【図４】中留の構成を示す底面図である。
【図５】中留の構成を示す断面図である。
【図６】支持部材の構成を詳細に示す分解斜視図である。
【図７】第１コマの構成を示す外観斜視図である。
【図８】第１コマの構成を示す断面図である。
【図９】バンド部の長さを調節する手順を示す説明図である。
【図１０】バンド部の長さを調節する手順を示す説明図である。
【図１１】支持部材の変形例を示す斜視図である。
【図１２】第１コマの変形例を示す断面図である。
【図１３】中留の変形例を示す断面図である。
【符号の説明】
【００３５】
１…腕時計（時計）、２…中留、１１…時計ケース、１４…バンド部（帯状装身具）、１５…上バンド（帯状体、バンド）、１６…下バンド（帯状体、バンド）、２０…支持部材、２０Ａ、２０Ｂ…収容部、２０Ｃ…乗り上げ部（通路）、２１…蓋部（板状部材）、２２…下板（板状部材）、２３…中板（板状部材）、２４…錠止ピン（保持部）、２６…ボタンユニット（保持部）、２７…プッシュボタン（解除操作子）、３０…上板、３２…取付部（係合部）、３３…平板部、４０…下板、４４、４５…凹部、４６…凸部（係合部）、５０…第１コマ（移動部材）、５２…桟（引掛部）、６０…連結部材、６４…屈曲部（係合部）、６５、６６…凹部、６７…凸部（係合部）、７０…第１コマ、７２…丸棒（引掛部）。
【図１】
2007313050.tif 000003
【図２】
2007313050.tif 000004
【図３】
2007313050.tif 000005
【図４】
2007313050.tif 000006
【図５】
2007313050.tif 000007
【図６】
2007313050.tif 000008
【図７】
2007313050.tif 000009
【図８】
2007313050.tif 000010
【図９】
2007313050.tif 000011
【図１０】
2007313050.tif 000012
【図１１】
2007313050.tif 000013
【図１２】
2007313050.tif 000014
【図１３】
2007313050.tif 000015